(57)【要約】【課題】簡単な作業で天井構成部材を吊ボルトに固定できる係止金具を提供することを課題とする。【解決手段】天井裏の吊ボルト５に天井構成部材を係止する係止金具４０において、吊ボルト５を囲う溝型の凹部４４を備えた第一部材４１と、第一部材４１に回動可能に取り付けられた第二部材４２とを備えており、第二部材４２は、凹部４４の開口部を覆う閉鎖状態と、凹部の開口部から外れた開放状態とで回動することを特徴とする。天井構成部材は、天井板５の落下を防止すべく天井板５の下方に張設された天井受ワイヤ２０を吊ボルト５に接続するための吊ワイヤ１０であることが好ましい。【選択図】図８
2018178600.tif 000002
【特許請求の範囲】
【請求項１】
天井裏の吊ボルトに天井構成部材を係止する係止金具において、
前記吊ボルトを囲う溝型の凹部を備えた第一部材と、前記第一部材に回動可能に取り付けられた第二部材とを備えており、
前記第二部材は、前記凹部の開口部を覆う閉鎖状態と、前記凹部の開口部から外れた開放状態とで回動する
ことを特徴とする係止金具。
【請求項２】
前記天井構成部材は、天井板の落下を防止すべく前記天井板の下方に張設された天井受ワイヤを前記吊ボルトに接続するための吊ワイヤである
ことを特徴とする請求項１に記載の係止金具。
【請求項３】
前記第二部材には、前記吊ワイヤのワイヤ固定板部が設けられており、
前記ワイヤ固定板部が下方に引かれた状態で、前記第二部材が前記閉鎖状態に位置している
ことを特徴とする請求項２に記載の係止金具。
【発明の詳細な説明】
【技術分野】
【０００１】
本発明は、係止金具に関する。
【背景技術】
【０００２】
地震時に天井材が落下してしまうことを防止するための天井の落下防止策が種々提案されている（たとえば、特許文献１，２参照）。特許文献１の技術は、天井材の下側にワイヤ等の防護線材が格子状に張設されており、その防護線材は長尺ボルトを介して、吊ボルトに支持されている。また、特許文献２の技術は、天井材の下側に釣糸等の防護線材が格子状に張設されており、その防護線材は、天井裏に延在して、吊ボルトに支持されている。これら特許文献１，２では、万一、天井板が天井下地材から外れた場合に防護線材で受けるようになっている。
【先行技術文献】
【特許文献】
【０００３】
【特許文献１】特開２０１５−０２８２６９号公報
【特許文献２】特開２０１４−２３４６５３号公報
【発明の概要】
【発明が解決しようとする課題】
【０００４】
しかしながら、特許文献１では、吊ボルトと、吊ボルトの下端部から天井板まで延在する長尺ボルトを一対の接続プレートで挟んで、接続プレート同士をボルト止めすることで、長尺ボルトを吊ボルトに固定していた。また、特許文献２では、アングル材の切欠きに吊ボルトを挿通させ、押さえプレートで切欠きを塞ぐことで、吊ボルトからアングル材が離れないようにしていた。押さえプレートには、防護線材が接続されている。押さえプレートはアングル材にねじ止めされている。以上のように、特許文献１，２では、吊ボルトに接続部材を取り付けるのに、ボルト止めやねじ止めを行うため、狭い天井裏での作業手間が多く、取付作業が大変であるという問題があった。
【０００５】
このような観点から、本発明は、簡単な作業で天井構成部材を吊ボルトに固定できる係止金具を提供することを課題とする。
【課題を解決するための手段】
【０００６】
前記課題を解決するための請求項１に係る発明は、天井裏の吊ボルトに天井構成部材を係止する係止金具において、前記吊ボルトを囲う溝型の凹部を備えた第一部材と、前記第一部材に回動可能に取り付けられた第二部材とを備えており、前記第二部材は、前記凹部の開口部を覆う閉鎖状態と、前記凹部の開口部から外れた開放状態とで回動することを特徴とする係止金具である。
【０００７】
このような構成によれば、第二部材を回動させるだけで、凹部の開口部を覆って、吊ボルトを囲うことができる。したがって、ボルト止めやねじ止めの必要がないので、取付作業が容易である。なお、係止部材は、吊ボルトの下端部の吊ハンガーやナットに載置することで、吊ボルトに荷重が支持される。
【０００８】
本発明では、  前記天井構成部材は、天井板の落下を防止すべく前記天井板の下方に張設された天井受ワイヤを前記吊ボルトに接続するための吊ワイヤであるものが好ましい。このような構成によれば、万一、天井板が天井下地材から外れたとしても、吊ワイヤを介して吊ボルトに接続された天井受ワイヤで天井板を支持することができるので、天井板の落下を防止できる。
【０００９】
また、本発明では、前記第二部材には、前記吊ワイヤのワイヤ固定板部が設けられており、前記ワイヤ固定板部が下方に引かれた状態で、前記第二部材が前記閉鎖状態に位置しているものが好ましい。このような構成によれば、第一部材の凹部で吊ボルトを囲み、吊ワイヤを引っ張るだけで、第二部材が回動して閉鎖状態となるので、取付作業が非常に容易である。
【発明の効果】
【００１０】
本発明に係る係止金具によれば、簡単な作業で天井構成部材を吊ボルトに固定できる。
【図面の簡単な説明】
【００１１】
【図１】本発明の実施形態に係る係止金具を用いた天井材落下防止構造を示した断面図である。
【図２】本発明の実施形態に係る係止金具を用いた天井材落下防止構造を示した斜視図である。
【図３】接続金具で吊ワイヤと天井受ワイヤとを接続した状態を示した一部断面側面図である。
【図４】接続金具のプレート部を示した三面図であって、（ａ）は側面図、（ｂ）は正面図、（ｃ）は平面図である。
【図５】接続金具のプレート部を示した斜視図である。
【図６】本発明の実施形態に係る係止金具の開放状態を示した三面図であって、（ａ）は平面図、（ｂ）は正面図、（ｃ）は側面図である。
【図７】本発明の実施形態に係る係止金具の閉鎖状態を示した三面図であって、（ａ）は平面図、（ｂ）は正面図、（ｃ）は側面図である。
【図８】（ａ）は係止金具の開放状態を示した斜視図、（ｂ）は閉鎖状態を示した斜視図である。
【図９】接続金具で吊ワイヤと天井受ワイヤとを接続した状態の変形例を示した一部断面側面図である。
【図１０】接続金具のプレート部の変形例を示した三面図であって、（ａ）は側面図、（ｂ）は正面図、（ｃ）は平面図である。
【図１１】接続金具のプレート部の変形例を示した斜視図である。
【図１２】変形例に係る接続金具の使用状態を示した図であって、（ａ）は平面図、（ｂ）は正面図である。
【発明を実施するための形態】
【００１２】
本発明の実施形態に係る係止金具について図面を参照しつつ詳細に説明する。なお、説明において同一要素には同一の符号を用い、重複する説明は省略する。本実施形態では、天井材落下防止構造に係止金具を用いた場合を例にあげて説明する。
【００１３】
図１に示すように、天井材２は、天井板３と天井下地材４とを備えている。天井下地材４は、天井躯体から垂下された吊ボルト５によって吊り下げられている。天井板３は、天井下地材４の下面に固定されている。天井下地材４は、例えば野縁４ａと野縁受け４ｂとを格子状に組み付けて構成されている。野縁４ａは、野縁受け４ｂの下部に配置され、クリップ６を介して野縁受け４ｂに固定されている。野縁受け４ｂは、吊ボルト５の下端部に、吊ハンガー７を介して固定されている。
【００１４】
図１および図２に示すように、天井材落下防止構造１は、吊ボルト５に支持された天井材２の落下を防止するものである。天井材落下防止構造１は、吊ワイヤ１０と天井受ワイヤ２０と接続金具３０と係止金具４０を備えている。
【００１５】
吊ワイヤ１０は、吊ボルト５の下端部に係止されるものであって、天井受ワイヤ２０に接続されている。吊ワイヤ１０は、天井材２を支持可能な強度を備えた可撓性ワイヤであって、たとえば金属製より線や樹脂製線材などからなる。吊ワイヤ１０は、接続金具３０を介して天井受ワイヤ２０と接続されている。吊ワイヤ１０の上端部は、係止金具４０を介して吊ボルト５の下端部に係止されている。吊ワイヤ１０は、吊ボルト５の下端部から接続金具３０まで延在している。接続金具３０は、吊ワイヤ１０を係止する吊ボルト５の下端部の近傍に配置されている。吊ワイヤ１０の長さは、近傍に配置された係止金具４０と接続金具３０同士を結ぶ短い長さとなっている。なお、接続金具３０と係止金具４０の構成は後述する。
【００１６】
天井受ワイヤ２０は、天井板３の下面に直線状に敷設されるものである。天井受ワイヤ２０は、天井材２を支持可能な強度を備えた可撓性ワイヤであって、たとえば金属製より線や樹脂製線材などからなる。天井受ワイヤ２０は、野縁受け４ｂに沿って延在して、複数本設けられている。隣り合う天井受ワイヤ２０は、所定間隔（たとえば１８００ｍｍピッチ）をあけて、互いに平行に配置されている。なお、天井受ワイヤ２０は、格子状に配置してもよい。
【００１７】
図３乃至図５にも示すように、接続金具３０は、吊ワイヤ１０と天井受ワイヤ２０とを接続する部位である。接続金具３０は、プレート部３１とボルトクリップ３２（図３参照）とを備えている。プレート部３１は、金属プレートを屈曲して形成されている。プレート部３１は、断面逆ハット型形状を呈しており、長方形形状を呈した底面部３１ａと、底面部３１ａの両端から立ち上がる一対の側面部３１ｂ，３１ｂと、各側面部３１ｂの上部から外側に張り出す張出面部３１ｃ，３１ｃとを備えている。プレート部３１は、天井板３に形成された開口部８に挿入されて、プレート部３１の両端部が開口縁部８ａに係止される。開口部８は、円形形状を呈している。底面部３１ａは、開口部８の内側に装着可能となるように、開口部８の内径よりも若干短い長辺を備えている。側面部３１ｂの立上り寸法は、天井板３の厚さ寸法と同等であって、開口部８にプレート部３１を装着した際に、底面部３１ａの下面と天井板３の下面が面一となる。張出面部３１ｃは、開口部８にプレート部３１を装着した際に、開口縁部８ａの上面に載置されてかけ止められる。
【００１８】
底面部３１ａの長手方向両端部には、吊ワイヤ１０が貫通するワイヤ孔３３がそれぞれ形成されている。一方（吊ボルト５に近い側）のワイヤ孔３３には、吊ボルト５側から延在する吊ワイヤ１０が上側から挿通される。一方のワイヤ孔３３を挿通した吊ワイヤ１０は、底面部３１ａの下側を通過して、他方（吊ボルト５から遠い側）のワイヤ孔３３の下側から上方に挿通される。ワイヤ孔３３，３３の間の底面部３１ａの中央側には、ボルトクリップ３２の軸部が貫通するボルト孔３４が二つ形成されている。ボルト孔３４，３４の間の底面部３１ａの中央部には、ネジ孔３５が形成されている。ネジ孔３５は、開口部を覆う蓋（図示せず）を取り付けるための孔である。
【００１９】
図３に示すように、ボルトクリップ３２は、軸部が二股状のボルト３２ａとナット３２ｂとを備えている。ボルト３２ａは、底面部３１ａの上側から軸部をボルト孔３４に貫通させて、プレート部３１に係止されている。軸部の二股部分には、上側から吊ワイヤ１０と天井受ワイヤ２０が挿通されており、下側からナット３２ｂを螺合させることで、吊ワイヤ１０と天井受ワイヤ２０が挟持される。これによって、吊ワイヤ１０と天井受ワイヤ２０とが、開口部８の近傍であるプレート部３１の下面部分で接続される。
【００２０】
なお、開口部８の形状は円形形状に限定されるものではなく、プレート部３１の底面部３１ａが装着可能な長方形形状であってもよい。但し、プレート部３１の装着方向を任意に変更できる円形形状が好ましい。
【００２１】
図６乃至図８に示すように、係止金具４０は、吊ワイヤ１０（天井構成部材）を吊ボルト５の下端部に接続するための部位である。係止金具４０は、吊ボルト５の下端部に設けられた吊ハンガー７の上部に係止される。係止金具４０は、吊ボルト５の下端部を囲って取り付けられている。係止金具４０は、第一部材４１と、第一部材４１に回動可能に取り付けられた第二部材４２とを備えている。
【００２２】
第一部材４１は、金属プレートを屈曲されて形成されており、第二部材４２を支持する支持板部４３と、吊ボルト５を三方向から囲う溝型の凹部４４と、回動する第二部材４２を係止する係止板部４５とを備えている。支持板部４３には、第二部材４２が当接しており、リベット４６を介して回動可能に接続されている。凹部４４は、支持板部４３の端部に連続しており、断面Ｕ字状を呈している。凹部４４は、吊ボルト５の外径より僅かに大きい内法寸法を備えている。係止板部４５は、凹部４４の端部に連続しており、凹部４４の側面と面一で、支持板部４３と直交する方向に広がっている。係止板部４５の、第二部材４２と交差する部分には、切欠き部４５ａが形成されている。切欠き部４５ａは、係止板部４５の上端から下方に向かって延在している。
【００２３】
第二部材４２は、金属プレートを屈曲されて形成されており、支持板部４３と当接する基板部４７と、吊ワイヤ１０が固定されるワイヤ固定板部４８とを備えている。基板部４７は、支持板部４３と当接しており、開放状態においては凹部４４の開口部にかからないようになっている。基板部４７は、閉鎖状態においては凹部４４の開口部を覆って、凹部４４に位置する吊ボルト５の残りの一方向を覆う。これによって、凹部４４と基板部４７とが、吊ボルト５を四方向から囲って固定する。基板部４７には、係止板部４５の切欠き部４５ａに噛み合う切欠き部４７ａが形成されている。切欠き部４７ａは、閉鎖状態において、基板部４７の下端から上方に向かって延在している。ワイヤ固定板部４８は、基板部４７の端部に連続しており、基板部４７に直交している。ワイヤ固定板部４８には、ワイヤ挿通孔４８ａが形成されている。ワイヤ挿通孔４８ａには、吊ワイヤ１０の端部が挿通される。挿通された吊ワイヤ１０の端部は折り返されて、吊ワイヤ１０と固定される。これによって、吊ワイヤ１０の端部に、ワイヤ挿通孔４８ａを通る輪が形成されて、吊ワイヤ１０がワイヤ固定板部４８に固定される。
【００２４】
次に、図８を参照しながら、係止金具４０を用いて吊ワイヤ１０を吊ボルト５の下端部に係止する手順を説明する。予め吊ワイヤ１０の端部を、ワイヤ固定板部４８のワイヤ挿通孔４８ａに挿通させて固定しておく。作業員は、天井板３の下方に立って、係止金具４０を開口部８から天井裏に挿入する。このとき、図８の（ａ）に示すように、第二部材４２は、第一部材４１に対して立たせた状態として凹部４４の開口部を開放しておく（開放状態）。そして、凹部４４で吊ボルト５を三方向から囲わせるとともに、係止金具４０を吊ハンガー７上に載置する。その後、図８の（ｂ）に示すように、吊ワイヤ１０を引っ張って、第二部材４２を回動させて、凹部４４の開口部を塞ぐ閉鎖状態とする。これによって、凹部４４と基板部４７とが、吊ボルト５を四方向から囲って、吊ボルト５に係止金具４０が固定される。
【００２５】
以上のような構成の天井材落下防止構造１によれば、吊ボルト５に係止された吊ワイヤ１０と天井受ワイヤ２０とを接続しているので、天井板３が天井下地材４から離反し難くなる。また、万一、天井板３が天井下地材４から外れたとしても、吊ワイヤ１０を介して吊ボルト５に接続された天井受ワイヤ２０で支持することができるので、天井板３が落下しない。また、天井板３と天井下地材４が一体で吊ボルト５から外れたとしても、天井受ワイヤ２０で受けることができる。吊ワイヤ１０と天井受ワイヤ２０は、天井材２を支持可能な強度であるとともに、複数の吊ワイヤ１０で天井受ワイヤ２０が支持されているので、破断することはない。さらに、吊ワイヤ１０で天井受ワイヤ２０を支持しているので、天井受ワイヤ２０に一定の張力をかけることができる。よって、天井受ワイヤ２０と野縁４ａとの間隔を小さく保持することができる。つまり、天井受ワイヤ２０が撓むのを抑制することができる。これによって、天井板３が天井下地材４から外れたり、野縁４ａが野縁受け４ｂから外れたり、野縁受け４ｂが吊ハンガー７から外れたりしたとしても、天井受ワイヤ２０で確実に受けることができるので、天井板３や天井下地材４を含む天井材２の構成部材の落下を防止することができる。
【００２６】
また、天井受ワイヤ２０を接続するための接続金具３０が天井板３に形成された開口部８の開口縁部８ａに係止されているので、天井受ワイヤ２０が弛むことなく、天井受ワイヤ２０を天井板３の間近で張設できる。したがって、万一、天井板３が外れたとしても天井受ワイヤ２０で確実に受けることができる。
【００２７】
また、接続金具３０のプレート部３１は、両端部が開口縁部８ａに係止されるので、接続作業を行い易い。さらに、ボルトクリップ３２は、プレート部３１に係止した状態でナット３２ｂの締め付けを行うことができるので、ボルト締めの作業を行い易い。また、ボルトクリップ３２で吊ワイヤ１０と天井受ワイヤ２０を容易に且つ確実に接続することができる。
【００２８】
また、本発明では、吊ワイヤ１０は、予め吊ワイヤ１０が接続された係止金具４０を介して吊ボルト５に係止されるので、作業員は、天井の下側に立って、天井板３の開口部８から天井裏に手を入れて、容易に吊ワイヤ１０を吊ボルト５に係止することができる。特に、係止金具４０は、吊ボルト５を囲う溝型の凹部４４を備えた第一部材４１と、第一部材４１に回動可能に取り付けられた第二部材４２とを備えており、さらに、吊ワイヤ１０は、第二部材４２に取り付けられている。したがって、吊ワイヤ１０を引くだけで、第二部材４２が回動して凹部４４の開口部を塞ぐことになる。つまり、係止金具４０の取付作業を非常に容易におこなうことができる。
【００２９】
以上、本発明を実施するための形態についてそれぞれ説明したが、本発明は前記の実施形態に限定されず、本発明の趣旨を逸脱しない範囲で、材質、形状や大きさなど適宜設計変更が可能である。たとえば、本実施形態では、係止部材４０が、天井構成材として、天井受ワイヤ２０に接続される「吊ワイヤ１０」（天井構成部材）を吊ボルト５に接続する場合を例に挙げて説明したが、これに限定されるものではない。たとえば、天井構成部材は、野縁や野縁受けを吊ボルトに接続するための吊ワイヤや、天井板を吊ボルトに接続するための吊ワイヤであってもよい。また、天井構成部材は、ワイヤではない長尺部材であってもよい。
【００３０】
また、前記実施形態では、開口部８は円形形状となっているが、その形状は円形形状に限定されるものではない。プレート部３１の底面部３１ａが装着可能な長方形形状であってもよい。但し、プレート部３１の装着方向を任意に変更できる点で、円形形状が好ましい。
【００３１】
さらに、前記実施形態では、接続金具３０のプレート部３１の下方に吊ワイヤ１０を通過させて、ボルトクリップ３２で、天井受ワイヤ３０と吊ワイヤ１０を挟持させているが、これに限定されるものではない。図９に示すように、吊ワイヤ１０をプレート部３１の上方に配置した状態で、ボルトクリップ３２で固定するようにしてもよい。このような構成にすれば、プレート部３１のワイヤ孔３３を省略することができる。
【００３２】
また、接続金具のプレート部も前記実施形態の形状に限定されるものではない。図１０乃至図１２を参照しながら変形例に係る接続金具のプレート部を説明する。図１０および図１１に示すように、変形例に係るプレート部３６は、前記接続金具３０のプレート部３１と同様に、断面逆ハット型形状を呈しており、底面部３１ａと一対の側面部３１ｂ，３１ｂと一対の張出面部３１ｃ，３１ｃとを備えている。底面部３１ａには、前記プレート部３１と同形状のワイヤ孔３３，３３とボルト孔３４，３４とネジ孔３５，３５が形成されている。
【００３３】
プレート部３６は、前記プレート部３１に加えて、側面部３１ｂの幅方向端部から外側に広がる突出部３７と、ボルト孔３４に近接する突部３８とが設けられている。
【００３４】
突出部３７は、側面部３１ｂの幅方向両端部にそれぞれ設けられていて、外側にそれぞれ広がっている。突出部３７は、側面部３１ｂに対して傾斜しており、平面視で直線状に延在している。突出部３７の長手方向中間部を通る法線は、底面部３１ａの重心を通るようになっている。そして、突出部３７の両端部の外面と、底面部３１ａの重心との距離は、開口部８（図１２参照）の半径より僅かに小さい寸法である。これによって、図１２に示すように、突出部３７の外面は、開口部８の内周小口に近接している。なお、突出部３７は、本実施形態では、直線状に延在しているが、開口部８の曲率に合わせて湾曲していてもよい。
【００３５】
天井受ワイヤ２０に張力をかけた場合等、プレート部３６が天井材３に対して相対移動した際に、プレート部３６が開口部８の内周小口に当たることとなる。このとき、プレート部３６では、側面部３１ｂの両側から広がる突出部３７，３７を設けているので、プレート部３６が開口部８の内周小口に当たる面が、前記プレート部３１よりも大きくなる。したがって、プレート部３６から天井材３にかかる応力を小さくできる。
【００３６】
図１０および図１１に示すように、突部３８は、底面部３１ａのボルト孔３４の近傍部分の一部を天井裏側（上側）に切り起して形成されている。突部３８は、一対のボルト孔３４，３４の近傍にそれぞれ形成されている。図１２に示すように、突部３８は、ボルト孔３４に挿通されるボルトクリップ３２のボルト３２ａの頭部に当接して、ボルト３２ａの回止めとなる。突部３８は、直線状に切り起されて、突部３８の側面が、ボルト３２ａの頭部の側面に当接する。
【００３７】
ボルトクリップ３２を設置する際には、底面部３１ａの上側からボルト３２ａの軸部をボルト孔３４に挿通させて、底面部３１ａの下側から軸部にナット３２ｂを螺合させることとなる。突部３８が形成されたプレート部３６では、ボルト３２ａの回転が規制されているので、ボルト３２ａを押さえることなく、ナット３２ｂを螺合させることができる。したがって、ボルトクリップ３２の設置作業が容易になる。
【符号の説明】
【００３８】
１      天井材落下防止構造
２      天井材
３      天井板
４      天井下地材
５      吊ボルト
８      開口部
８ａ    開口縁部
１０    吊ワイヤ
２０    天井受ワイヤ
３０    接続金具
３１    プレート部
３２    ボルトクリップ
４０    係止金具
４１    第一部材
４２    第二部材
４４    凹部
４８    ワイヤ固定板部
【図１】
2018178600.tif 000003
【図２】
2018178600.tif 000004
【図３】
2018178600.tif 000005
【図４】
2018178600.tif 000006
【図５】
2018178600.tif 000007
【図６】
2018178600.tif 000008
【図７】
2018178600.tif 000009
【図８】
2018178600.tif 000010
【図９】
2018178600.tif 000011
【図１０】
2018178600.tif 000012
【図１１】
2018178600.tif 000013
【図１２】
2018178600.tif 000014
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
天井裏の吊ボルトに天井構成部材を係止する係止金具において、
前記吊ボルトを囲う溝型の凹部を備えた第一部材と、前記第一部材に回動可能に取り付けられた第二部材とを備えており、
第二部材は、前記凹部の開口部を覆う閉鎖状態と、前記凹部の開口部から外れた開放状態とで回動し、
前記天井構成部材は、天井板の落下を防止すべく前記天井板の下方に張設された天井受ワイヤを前記吊ボルトに接続するための吊ワイヤであり、
前記第二部材には、前記吊ワイヤのワイヤ固定板部が設けられており、
前記ワイヤ固定板部が下方に引かれた状態で、前記第二部材が前記閉鎖状態に位置している
ことを特徴とする係止金具。
【請求項２】
天井裏の吊ボルトに天井構成部材を係止する係止金具において、
前記吊ボルトを囲う溝型の凹部を備えた第一部材と、前記第一部材に回動可能に取り付けられた第二部材とを備えており、
第二部材は、前記凹部の開口部を覆う閉鎖状態と、前記凹部の開口部から外れた開放状態とで回動し、
前記第二部材には、前記天井構成材である吊ワイヤのワイヤ固定板部が設けられており、
前記ワイヤ固定板部が下方に引かれた状態で、前記第二部材が前記閉鎖状態に位置している
ことを特徴とする係止金具。
【手続補正２】
【補正対象書類名】明細書
【補正対象項目名】０００６
【補正方法】変更
【補正の内容】
【０００６】
前記課題を解決するための請求項１に係る発明は、天井裏の吊ボルトに天井構成部材を係止する係止金具において、前記吊ボルトを囲う溝型の凹部を備えた第一部材と、前記第一部材に回動可能に取り付けられた第二部材とを備えており、第二部材は、前記凹部の開口部を覆う閉鎖状態と、前記凹部の開口部から外れた開放状態とで回動し、前記天井構成部材は、天井板の落下を防止すべく前記天井板の下方に張設された天井受ワイヤを前記吊ボルトに接続するための吊ワイヤであり、前記第二部材には、前記吊ワイヤのワイヤ固定板部が設けられており、前記ワイヤ固定板部が下方に引かれた状態で、前記第二部材が前記閉鎖状態に位置していることを特徴とする係止金具である。
【手続補正３】
【補正対象書類名】明細書
【補正対象項目名】０００７
【補正方法】変更
【補正の内容】
【０００７】
このような構成によれば、第二部材を回動させるだけで、凹部の開口部を覆って、吊ボルトを囲うことができる。したがって、ボルト止めやねじ止めの必要がないので、取付作業が容易である。なお、係止部材は、吊ボルトの下端部の吊ハンガーやナットに載置することで、吊ボルトに荷重が支持される。また、万一、天井板が天井下地材から外れたとしても、吊ワイヤを介して吊ボルトに接続された天井受ワイヤで天井板を支持することができるので、天井板の落下を防止できる。さらに、第一部材の凹部で吊ボルトを囲み、吊ワイヤを引っ張るだけで、第二部材が回動して閉鎖状態となるので、取付作業が非常に容易である。
【手続補正４】
【補正対象書類名】明細書
【補正対象項目名】０００８
【補正方法】変更
【補正の内容】
【０００８】
また、前記課題を解決するための請求項２に係る発明は、天井裏の吊ボルトに天井構成部材を係止する係止金具において、前記吊ボルトを囲う溝型の凹部を備えた第一部材と、前記第一部材に回動可能に取り付けられた第二部材とを備えており、第二部材は、前記凹部の開口部を覆う閉鎖状態と、前記凹部の開口部から外れた開放状態とで回動し、前記第二部材には、前記天井構成部材である吊ワイヤのワイヤ固定板部が設けられており、前記ワイヤ固定板部が下方に引かれた状態で、前記第二部材が前記閉鎖状態に位置していることを特徴とする係止金具である。
【手続補正５】
【補正対象書類名】明細書
【補正対象項目名】０００９
【補正方法】削除
【補正の内容】